(57)【要約】【課題】ライブビュー画像表示の視認性の向上に寄与する撮影機器を提供する。【解決手段】被写体を所定の周期で撮像する撮像部１２と、撮像部によって取得された画像を表示する表示部２３と、表示部を制御する表示制御部１１とを具備し、表示制御部は、撮像部によって所定の周期で取得した画像を順次表示する第１の表示モードと、撮像部によって所定の周期で取得した複数の画像を加算して、その結果得られた画像を表示する第２の表示モードとを切替制御する。【選択図】図１
2013058923.tif 000002
【特許請求の範囲】
【請求項１】
被写体を所定の周期で撮像する撮像部と、
上記撮像部によって取得された画像を表示する表示部と、
上記表示部を制御する表示制御部と、
を具備し、
上記表示制御部は、上記撮像部によって所定の周期で取得した画像を順次表示する第１の表示モードと、上記撮像部によって所定の周期で取得した複数の画像を加算して、その結果得られた画像を表示する第２の表示モードとを切替制御することを特徴とする撮影機器。
【請求項２】
上記表示制御部は、上記第２の表示モードにより表示制御を行う際には、機器に入力される操作指示信号に応じて画像加算を行うべき画像を変更することを特徴とする請求項１に記載の撮影機器。
【請求項３】
上記操作指示信号は、ＡＦ動作を指示する操作指示信号であることを特徴とする請求項２に記載の撮影機器。
【請求項４】
上記操作指示信号は、ズーム動作を指示する操作指示信号であることを特徴とする請求項２に記載の撮影機器。
【発明の詳細な説明】
【技術分野】
【０００１】
この発明は、撮影機器、詳しくは暗所においてもライブビュー画像表示によって被写体観察を可能とする撮影機器に関するものである。
【背景技術】
【０００２】
従来、撮像素子等を適用したデジタルカメラ等の撮影機器においては、撮像素子によって画像データを取得しつつ、これと同時に、当該取得した画像データに基く画像を表示装置の表示画面に連続的に動画像として表示させ続ける表示形態、いわゆるライブビュー画像表示を行うことによって、撮影機器に附属の表示装置を画像観察用装置（ファインダー）として使用し得るように構成したものが一般に実用化されている。
【０００３】
また、近年における撮影機器では、画像処理回路の処理速度の向上を受けて、撮影記録を行なう前の段階のライブビュー画像表示を行ないながら、各種の画像処理を施した場合の処理結果の画像を、当該ライブビュー画像に反映させることができるようになっている。
【０００４】
例えば、従来の撮影機器において長時間露出による撮影（いわゆるバルブ撮影）を行う際にも、表示装置を用いてライブビュー画像を表示して撮影結果のモニタを行うことができるようにしたものが、特開２０１１−１０３４９９号公報等によって種々提案され実用化されている。
【０００５】
上記特開２０１１−１０３４９９号公報等によって開示されている手段は、バルブ撮影動作時の撮影記録処理とは独立させてライブビュー画像表示用の処理を行うようにしている。バルブ撮影動作時には、複数の暗い画像（露出不足画像）を取得して、これらを加算処理する。一方、そのバルブ撮影動作中には、ライブビュー画像表示を行って撮影経過のモニタを行い得るようにする。この場合において、上記画像の記録処理とは異なる表示用画像処理（加算処理）を行うことによって、バルブ撮影中のライブビュー画像表示をより自然な表示で提供するというものである。
【０００６】
一方、上述のような形態の従来の撮影機器を使用するのに際し、表示装置をファインダーとして使用する撮影を行う場合、周囲環境が暗所で撮影対象となる被写体輝度が低輝度になってしまう場合、例えば夜間の野外キャンプ場や低照明下での室内パーティ会場等の暗所において撮影を行おうとするとき、表示装置の表示画面に表示される画像では、露出量の不足により被写体の細かい表情や姿勢（ポーズ）又は撮影範囲等を充分に確認することができないという問題点がある。
【０００７】
また、上記従来の撮影機器を使用するのに際して、ライブビュー画像表示させながら自動ズーム（電動ズーム）動作を実行する時、ライブビュー画像の取得期間（撮像素子への露出期間）にズーム動作が実行されると、取得される画像に歪みが生じてしまう等の問題点がある。
【０００８】
さらに、上記従来の撮影機器においては、ライブビュー画像の表示中にオートフォーカス（ＡＦ）動作を実行したとき、そのＡＦ動作期間のライブビュー画像が暗くなってしまうという問題点がある。このことは、ＡＦ動作を実行すると、そのＡＦ動作期間中は、ＡＦ動作の高速化のために、垂直同期信号の周期を高速化する。これによって、一フレームの露出期間が短時間になってしまうという理由がある。
【０００９】
そこで、上記特開２０１１−１０３４９９号公報等によって開示されているような画像加算処理を、ライブビュー画像表示用処理において適用することが考えられる。
【先行技術文献】
【特許文献】
【００１０】
【特許文献１】特開２０１１−１０３４９９号公報
【発明の概要】
【発明が解決しようとする課題】
【００１１】
上記特開２０１１−１０３４９９号公報等によって開示されている手段は、特に撮影機器を三脚等の固定物に固定して長時間露出を行う撮影手法（バルブ撮影）を実行する際には有効な手段である。
【００１２】
上述したような使用シーン、即ち周囲環境が暗所である場合、具体的には夜間の野外キャンプ場，低照明下での室内パーティ会場等の暗所においては、閃光発光装置等の補助照明光を利用して撮影が行われるのが普通である。
【００１３】
しかしながら、補助照明光の利用は、実際の撮影動作の瞬間のみに使用されるものであり、ライブビュー表示中には有効ではない。したがって、従来の撮影機器においては、暗所におけるライブビュー画像表示は、使用者が満足し得る程度に、充分かつ確実に使用し得るものではなかった。
【００１４】
本発明は、上述した点に鑑みてなされたものであって、その目的とするところは、画像加算処理技術を利用することにより暗所であったり、ＡＦ，ズーム等の動作中においても撮影対象となる被写体を含む撮影範囲の画像を良好な状態で表示させることができ、ライブビュー画像表示の視認性の向上に寄与する撮影機器を提供することである。
【課題を解決するための手段】
【００１５】
上記目的を達成するために、本発明の一態様の撮影機器は、被写体を所定の周期で撮像する撮像部と、上記撮像部によって取得された画像を表示する表示部と、上記表示部を制御する表示制御部とを具備し、上記表示制御部は、上記撮像部によって所定の周期で取得した画像を順次表示する第１の表示モードと、上記撮像部によって所定の周期で取得した複数の画像を加算して、その結果得られた画像を表示する第２の表示モードとを切替制御する。
【発明の効果】
【００１６】
本発明によれば、画像加算処理技術を利用することにより暗所であったり、ＡＦ，ズーム等の動作中においても撮影対象となる被写体を含む撮影範囲の画像を良好な状態で表示させることができ、ライブビュー画像表示の視認性の向上に寄与する撮影機器を提供することができる。
【図面の簡単な説明】
【００１７】
【図１】本発明の第１の実施形態の撮影機器（カメラ）の内部主要構成を示すブロック構成図、
【図２】図１の撮影機器（カメラ）を用いて撮影している様子を示す説明図、
【図３】図２の状態における撮影機器（カメラ）の表示画面を主に示す図、
【図４】図１，図２の状態でタッチ操作を行なった結果得られる表示画像の一例を示す図、
【図５】図１の撮影機器（カメラ）によるカメラ制御の処理シーケンスを示すフローチャート、
【図６】図５の処理シーケンスのうちフレーム加算表示処理（図５のステップＳ１５）のサブルーチンを示すフローチャート、
【図７】本発明の第２の実施形態の撮影機器（カメラ）によるカメラ制御の処理シーケンスを示すフローチャート、
【図８】図７の処理シーケンスのうちライブビュー画像表示制御（図７のステップＳ４７）のサブルーチンを示すフローチャート、
【図９】図８の処理シーケンスのうち複数フレーム画像合成処理（図８のステップＳ５９）のサブルーチンを示すフローチャート、
【図１０】図９の処理シーケンスのうち前回表示に使用した画像を手振れ補正処理（図９のステップＳ６２）のサブルーチンを示すフローチャート、
【図１１】本発明の第２の実施形態の撮影機器（カメラ）において、ライブビュー画像表示動作中にＡＦ動作が行われた場合の作用を示すタイミングチャート、
【図１２】本発明の第２の実施形態の撮影機器（カメラ）において、撮像素子の有効受光面内における測光エリアを示す図、
【図１３】本発明の第２の実施形態の撮影機器（カメラ）における露出制御プログラム線図、
【図１４】本発明の第２の実施形態の撮影機器（カメラ）において、ライブビュー画像表示動作中にズーム動作が行われた場合の作用を示すタイミングチャート、
【図１５】本発明の第２の実施形態の撮影機器（カメラ）において実行される手振れ補正処理の説明図であって、撮像素子の受光面サイズと有効画像領域（表示領域）サイズとの概念を示す図、
【図１６】本発明の第２の実施形態の撮影機器（カメラ）において実行される手振れ補正処理の説明図であって、受光面上の手振れ画像領域を示す概念図、
【図１７】本発明の第２の実施形態の撮影機器（カメラ）において実行される手振れ補正処理の説明図であって、手振れ補正処理後に得られる画像データを示す概念図である。
【図１８】本発明の第２の実施形態の撮影機器（カメラ）において、拡大合成処理を行う際の概念を示す図、
【図１９】本発明の第２の実施形態の撮影機器（カメラ）において、縮小合成処理を行う際の概念を示す図、
【発明を実施するための形態】
【００１８】
［第１の実施形態］
図１〜図６は、本発明の第１の実施形態を示す図である。このうち図１は、本発明の第１の実施形態の撮影機器（カメラ）の内部主要構成を示すブロック構成図である。図２は、本実施形態の撮影機器（カメラ）を用いて撮影している様子を示す説明図である。図３は、図２の状態における撮影機器（カメラ）の表示画面を主に示す図である。図４は、図１，図２の状態でタッチ操作を行なった結果得られる表示画像の一例を示す図である。図５は、本実施形態の撮影機器（カメラ）によるカメラ制御の処理シーケンスを示すフローチャートである。図６は、図５の処理シーケンスのうちフレーム加算表示処理（図５のステップＳ１５）のサブルーチンを示すフローチャートである。
【００１９】
本発明の第１の実施形態においては、例えば光学レンズにより形成される光学像を固体撮像素子を用いて光電変換し、これによって得られる画像信号を静止画像又は動画像を表わすデジタル画像データに変換し、こうして生成されたデジタル画像データを記録媒体に記録し、また記録媒体に記録されたデジタル画像データに基いて静止画像又は動画像を表示装置を用いて再生表示し得るように構成される撮影機器であるデジタルカメラを例示するものである（以下、単にカメラというものとする）。
【００２０】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００２１】
まず、本発明の第１の実施形態の撮影機器（カメラ）の内部主要構成について、図１を用いて以下に説明する。
【００２２】
図１に示すように、本実施形態の撮影機器であるカメラ１は、カメラ本体１０と、撮影レンズ鏡筒３０とによって主に構成されている。
【００２３】
カメラ本体１０は、後述する各種の構成部材を内部に収納する筐体からなり、本カメラ１の基本構成をなす構成部である。撮影レンズ鏡筒３０は、撮影光学系等を具備し、被写体からの光束を受けて光学的な被写体像を結像させるために設けられる構成部である。そして、本カメラ１は、カメラ本体１０の前面に対して撮影レンズ鏡筒３０が着脱自在に配設して構成されるいわゆるレンズ交換式カメラである。
【００２４】
上記カメラ本体１０の内部には、ＣＰＵ等の電気部品からなり当該カメラ１の電気的な制御を統括するカメラ制御部１１（図１においてはＣＰＵと表記している）と、このカメラ制御部１１の制御下で機能する各種の構成部材、即ち、撮像素子１２，フラッシュメモリ等の一時メモリ１３，露出制御部１４，画像処理部１５，操作制御部１６，操作部１７，カメラ通信部１８，ＳＤＲＡＭ１９，メモリインタフェース（Ｉ／Ｆ）２０，記録媒体２１，表示用ドライバ２２，ＬＣＤ等の表示装置２３，タッチパネルドライバ２４，タッチパネル２５，角速度センサ２６等が配設されている。
【００２５】
撮像素子１２は、光電変換素子と、その駆動回路等によって構成される撮像部である。撮像素子１２は、上記撮影レンズ鏡筒３０の撮影光学系によって結像される被写体の光学像を受けて、これを周期的に光電変換処理し、電気的な画像データを生成する構成部である。なお、本実施形態に適用される撮像素子１２としては、ＣＭＯＳ（シーモス；Complementary Metal Oxide Semiconductor; 相補型金属酸化膜半導体）等を用いた固体撮像素子、即ちＭＯＳイメージセンサである。このＭＯＳイメージセンサでは、ライン毎に露光タイミングをずらして順次露光するライン露光順次読み出し方式（ローリングシャッタ）が採用されている。
【００２６】
一時メモリ１３は、フラッシュメモリ等によって構成され、各種画像処理等を行なう際のプログラムやデータ等を一時的に記憶しておく内部メモリ領域である。
【００２７】
露出制御部１４は、撮像素子１２からの出力信号等に基いて、若しくは別に設けた測光手段（不図示）からの信号に基いて被写体像の測光を行ない、その測光結果に基いて適正露出値を設定し、この設定された適正露出値に基いてシャッター機構（不図示；撮像素子１２に含まれるいわゆる電子シャッター若しくは撮像素子１２の直前に別途設けられるメカシャッター）や絞り値機構（符号３３；後述する），撮像素子１２（感度調整，電子シャッター等）等を制御するための制御回路である。これによって、適正露出となる画像が取得され、取得された画像は順次連続的に表示装置２３に出力され表示される。
【００２８】
画像処理部１５は、本実施形態のカメラ１において実行されるフレーム加算処理のほか、従来一般のカメラにて実行される各種の画像信号処理を行なう回路部である。
【００２９】
操作部１７は、本カメラ１を操作する上で必要となる各種の操作部材等を含んで構成される構成部である。
【００３０】
操作制御部１６は、操作部１７からの指示信号を受信してカメラ制御部１１へと伝達すると共に、カメラ制御部１１の指示を操作部１７へと伝達する等の制御を行なう制御回路である。
【００３１】
カメラ通信部１８は、撮影レンズ鏡筒３０との間で通信を行ない、制御信号等を送受信する構成部である。そのために、カメラ本体１０と撮影レンズ鏡筒３０とには、それぞれに通信用接点３９ａ，３９ｂが設けられていて、両者を連結した状態としたとき、通信用接点３９ａ，３９ｂが接触し通電するように構成される。
【００３２】
ＳＤＲＡＭ（Synchronous Dynamic Random Access Memory）１９は、プログラム格納用ＲＯＭ（不図示）等に予め記憶されている各種制御用・データ処理用プログラム等を一時的に記憶する作業用のメモリ領域である。
【００３３】
メモリインタフェース２０は、カメラ制御部１１と記録媒体２１との間を媒介し、記録媒体２１へのデータ記録処理若しくは記録媒体２１からのデータ読み出しに寄与する構成部である。
【００３４】
記録媒体２１は、本カメラ１において取得された画像データを記録するためのストレージ手段であって、例えば半導体メモリカードやカード型ＨＤＤ等、小型で可搬型のものが適用される。記録媒体２１は、本カメラ１に対して着脱自在に構成される。また、カメラ本体１０内に固定配置される内蔵メモリの形態で構成されるものも含まれる。
【００３５】
表示用ドライバ２２は、カメラ制御部１１の制御下において表示用ドライバ２２を介して表示装置２３を駆動制御して、画像及び各種情報等を視覚的に識別し得る形態で必要に応じて適宜表示させるためのドライバである。
【００３６】
表示装置２３は、例えばＬＣＤ（Liquid Crystal Display）等のパネル状表示部材を用いて、画像や各種情報等を視覚的に識別し得る形態で表示するための表示部である。表示装置２３は、カメラ制御部１１の制御下で表示用ドライバ２２を介して駆動制御される。
【００３７】
タッチパネルドライバ２４は、カメラ制御部１１の制御下においてタッチパネル２５を駆動制御し、タッチ操作を検出すると共に、その検出結果に応じた操作入力を判定するドライバである。
【００３８】
タッチパネル２５は、上記表示装置２３の表示面上に重ねて配設されており、使用者がパネル面をタッチ操作，タッチ＆スライド操作等を行うことによって、これらの操作に応じて、各種の指定入力などを行なう操作入力手段に含まれる構成部である。
【００３９】
角速度センサ２６は、カメラ１の姿勢（地平に対する傾き等）を検出したり、機器に加わる手振れ等を検出するための振れ検出素子である。この角速度センサ２６は、例えば手振れ補正機能の一部を構成する電気部品である。
【００４０】
一方、撮影レンズ鏡筒３０は、撮影レンズ３１と、レンズ保持枠３２と、絞り機構３３と、ドライバ３４と、レンズ制御部３５（図１においてはレンズＣＰＵと表記している）と、レンズ通信部３６等を主に具備して構成される。
【００４１】
撮影レンズ３１は、複数の光学レンズからなり、被写体からの光束を受けて光学像を結像させるための構成部である。
【００４２】
レンズ保持枠３２は、上記撮影レンズ３１の各光学レンズをそれぞれ保持するために設けられる構成部である。
【００４３】
絞り機構３３は、上記撮影レンズ３１を透過する光束の光量を調整するために設けられる構成部であって、例えば絞り羽根やこの絞り羽根を駆動する駆動モータ等によって構成される。
【００４４】
レンズ通信部３６は、カメラ本体１０との間で通信を行ない、制御信号等を送受信する構成部である。撮影レンズ鏡筒３０には、上述したようにカメラ本体１０の通信用接点３９ａに対応する通信用接点３９ｂが設けられていて、両者を連結した状態としたとき、通信用接点３９ａ，３９ｂが接触し通電するように構成される。
【００４５】
なお、本実施形態のカメラ１は、その他の機能として顔検出機能，被写体追尾機能等を備えている。顔検出機能，被写体追尾機能は、カメラ制御部１１の制御下において、撮像素子１２の出力信号を受けて生成される画像データに基いて行われる画像処理機能の一つである。これらの顔検出機能，被写体追尾機能は、従来のカメラにおいて適用されているものと同様のものを適用する。したがって、その詳細説明は省略する。その他の構成は、従来のカメラと略同様の構成を具備するものとする。
【００４６】
このように構成される本実施形態のカメラ１における作用の概略を、図２〜図４を用いて以下に簡単に説明する。
【００４７】
まず、カメラ１の電源をオン状態としてカメラ１を起動させる。この電源オン操作を行なうと、カメラ１は、撮影動作を行ない得る動作モード（撮影モード）で、かつ表示装置２３を被写体観察用のビューファインダーとして使用し得る動作モード（ライブビューモード）で起動する。
【００４８】
使用者１００は、この状態のカメラ１を、図２に示すように、所望の撮影対象としての被写体に向けて構える。このとき、周囲環境が暗所である場合、例えば夜間の野外キャンプ場であったり、低照明下での室内パーティ会場等の暗所であると、撮影対象となる被写体輝度が低輝度であるため、表示装置２３の表示画面上に表示されるライブビュー画像は、図３に示すように、露出不足によって全体が暗くなってしまい、画面内の所望の被写体を判別することが困難である場合がある。
【００４９】
そこで、本実施形態のカメラ１においては、使用者１００が、図２，図３に示すような所作によって、表示装置２３の表示画面中の所望の被写体を、手指１０１でタッチ操作による指示を行うと、そのタッチ指示部位を含む画像領域が視認し得る状態にまで明るく表示されるように、フレーム画像の加算処理が実行される。なお、図３の例では、表示装置２３の表示画面の略中央領域の人物をタッチ操作指示をしている状態を図示している。
【００５０】
その結果、例えば図４に示すように、表示装置２３の表示画面内の指示部位の被写体（人物）が視認可能な状態で表示される。
【００５１】
次に、上述したようなカメラ１の作用を実現するための本実施形態のカメラにおける、カメラ制御の処理シーケンスを、図５，図６のフローチャートによって以下に説明する。
【００５２】
まず、図５のステップＳ１１において、カメラ制御部１１は、操作制御部１６を介して操作部１７からの出力信号を監視し電源オン信号が検出されたか否かを確認する。ここで、電源オン信号が検出されるまで監視を続け、同信号が検出された場合には、次のステップＳ１２の処理に進む。
【００５３】
ステップＳ１２において、カメラ制御部１１は、通信用接点３９ａ，３９ｂで接続されているカメラ通信部１８，レンズ通信部３６を介して、撮影レンズ鏡筒３０のレンズ制御部３５との間で所定の通信処理を実行する。
【００５４】
続いて、ステップＳ１３において、カメラ制御部１１は、カメラ１の動作モードが撮影モードに設定されているか否かの確認を行なう。ここで、撮影モードが設定されていることが確認された場合には、次のステップＳ１４の処理に進む。また、撮影モード以外の動作モードが設定されていることが確認された場合には、ステップＳ２０の処理に進む。
【００５５】
ステップＳ１４において、カメラ制御部１１は、レンズ制御部３５を介してドライバ３４を制御して、撮影レンズ３１，絞り機構３３等を駆動させると共に、撮像素子１２，表示装置２３等を制御して撮像処理及び仮記録処理を実行すると共に、同じ画像データに基いて表示装置２３を用いて表示処理を行う。これにより、表示装置２３にはライブビュー画像表示が行われる。なお、上記仮記録処理による処理結果（一フレーム分の画像データ）は、一時メモリ１３等に順次一時的に記録される。
【００５６】
続いて、ステップＳ１５において、カメラ制御部１１は、フレーム画像の加算処理（以下、フレーム加算処理と略記する）を行なうか否かの判定を行なう。このステップＳ１５の処理の詳細は図６に示す通りである。
【００５７】
即ち、図６のステップＳ３１において、カメラ制御部１１は、タッチパネルドライバ２４を介してタッチパネル２５からの入力信号を監視して、タッチ操作による入力信号が検出されたか否かの確認を行なう。ここで、タッチ信号が検出された場合には、次のステップＳ３２の処理に進む。また、タッチ信号が検出されない場合には、図５のステップＳ１７の処理に進む。
【００５８】
上述のステップＳ３１の処理にて、タッチ信号が検出されて、ステップＳ３２の処理に進むと、このステップＳ３２において、カメラ制御部１１は、表示装置２３の表示画像中においてタッチ指示された部位を含む所定の画像領域の露出量についての判定を露出制御部１４を介して行う。ここで、当該領域の被写体輝度が、例えば１０％以上の露出量（約３ＥＶ相当）があるか否かの確認を行う。ここで、露出量が１０以上であることが確認された場合には、ステップＳ３３の処理に進む。一方、露出量が１０未満であることが確認された場合には、図５のステップＳ１７の処理に進む。
【００５９】
次に、ステップＳ３３において、カメラ制御部１１は、上述のタッチ操作によって指示された部位を含む所定の範囲の領域（例えば画面全面積に対して１／１０の矩形状領域等）内に顔画像が含まれているか否かの確認を行なう。ここで、顔画像が取得可能である場合には、ステップＳ３４の処理に進む。また、顔画像の取得が不可能である場合には、図５のステップＳ１７の処理に進む。
【００６０】
上述のステップＳ３３の処理にて、顔画像が取得されて、ステップＳ３４の処理に進むと、このステップＳ３４において、カメラ制御部１１は、取得された顔画像について追尾処理の実行が可能か否かの判断を行う。ここで、追尾処理の実行が可能であると判断されると、図５のステップＳ１６の処理に進む。また、追尾処理の実行が不可能であると判断されると、図５のステップＳ１７の処理に進む。
【００６１】
なお、上記追尾処理とは、指定された被写体（ここでは顔画像）に関し、これが画面内で移動しても、その移動に応じて画面内における位置を追尾し続ける処理である。このような追尾処理は、従来のカメラにおいて一般に実用化されている処理であるので、その詳細説明は省略する。
【００６２】
上述のようにして、フレーム加算処理を行なうか否かの判定の結果、図５のシーケンスに戻る。
【００６３】
フレーム加算処理を行う旨の判定がなされて、図５のステップＳ１６の処理に進むと、このステップＳ１６において、カメラ制御部１１は、上述のステップＳ１４の仮処理にて一時的に記録されているフレーム画像データを今回の撮像結果のフレーム画像データに加算するフレーム加算処理を実行し、その処理結果の画像データを一時的に記録すると共に、同画像データを表示用ドライバ２２を介して表示装置２３へと出力し、これに表示させる表示処理を実行する。その後、ステップＳ１８の処理に進む。
【００６４】
なお、この時の表示モード、即ち撮像素子１２によって所定の周期で取得した複数の画像を加算処理し、その結果得られた画像を表示する表示モードを第２の表示モードという。
【００６５】
一方、上記図６の処理シーケンスにてフレーム加算処理を行わない旨の判定がなされて、図５のステップＳ１７の処理に進むと、このステップＳ１７において、カメラ制御部１１は、上述のステップＳ１４の仮処理にて一時的に記録されているフレーム画像データを表示用ドライバ２２を介して表示装置２３へと出力し、これに表示させる表示処理を実行する。その後、ステップＳ１８の処理に進む。
【００６６】
この時の表示モード、即ち撮像素子１２によって所定の周期で取得した画像を順次表示装置２３を用いて順次表示する通常のライブビュー画像表示を行う際の表示モードを第１の表示モードという。
【００６７】
ステップＳ１８において、カメラ制御部１１は、操作制御部１６を介して操作部１７を監視すると共に、タッチパネルドライバ２４を介してタッチパネル２５を監視して、撮影動作を実行するための操作、即ちレリーズ操作が行なわれたか否かの確認を行なう。具体的には、例えば、操作部１７に含まれるレリーズ部材（不図示）からのレリーズ信号、若しくはタッチパネル２５からのレリーズ信号等が発生したか否かの確認を行う。ここで、レリーズ信号の発生が確認された場合には、次のステップＳ１９の処理に進む。また、レリーズ信号の発生が確認されない場合には、上述のステップＳ１１の処理に戻り、以降の処理を繰り返す。
【００６８】
ステップＳ１９において、カメラ制御部１１は、レンズ制御部３５を介してドライバ３４を制御して撮影レンズ３１を駆動させ、撮像素子１２からの出力に基いてオートフォーカス（ＡＦ）動作を実行すると共に、露出制御部１４を介して露出値（不図示の閃光発光装置を用いて補助光を発光させることを勘案した適正露出値等）を設定する測光動作を実行する。続いて、上記ＡＦ動作及び測光動作によって得られた設定値に基いて、レンズ制御部３５を介してドライバ３４を制御し撮影レンズ３１，絞り機構３３等を駆動させると共に、撮像素子１２等を駆動制御して撮影処理を実行する。この撮影処理の結果取得した画像データを、表示用ドライバ２２を介して表示装置２３へと出力し、表示させる表示処理を実行する。同時に、同取得画像データを、メモリインタフェース２０を介して記録媒体２１へと出力し、記録させる記録処理を実行する。その後、上述のステップＳ１の処理に戻り、以降の処理を繰り返す。
【００６９】
一方、上述のステップＳ１３の処理にて、撮影モード以外の動作モードが設定されているものと判断されて、ステップＳ２０の処理に進むと、このステップＳ２０において、カメラ制御部１１は、カメラ１の動作モードが再生モードに設定されているか否かの確認を行なう。ここで、再生モードが設定されていることが確認された場合には、次のステップＳ２１の処理に進む。また、設定されている動作モードが再生モードではない場合には、ステップＳ１の処理に戻り以降の処理を繰り返す。
【００７０】
なお、通常の場合、カメラの動作モードとしては、大きく分けて撮影モードと再生モードとがあるが、これ以外の動作モードを持つものもある。その場合には、ステップＳ２０の処理からさらに分岐ステップを設けて動作モードの確認を行なうようにすればよい。しかしながら、撮影モード以外のその他の動作モードの作用については、本発明とは直接関連しない部分であるので、それらの説明及び図示は省略する。そして、図５の処理シーケンスにおいて、現在設定されている動作モードが撮影モード，再生モードのいずれでもない場合には、簡易的に初期のステップＳ１に戻るようにしている。
【００７１】
ステップＳ２１において、カメラ制御部１１は、カメラ制御部１１は、メモリインタフェース２０を介して記録媒体２１を制御して該記録媒体２１の記録領域から画像データの読み込みを行なうと共に、表示用ドライバ２２を介して表示装置２３を制御して、所定の画像再生処理を実行する。
【００７２】
続いて、ステップＳ２２において、カメラ制御部１１は、画像変更処理を実行するか否かの確認を行なう。この画像変更処理とは、例えば、記録媒体２１に記録済みの画像データに基いて、各種パラメータ等を変更し異なる形態の画像を生成する等のいわゆるカメラ内画像編集処理をいう。この画像変更処理は、カメラ制御部１１の制御下において画像処理部１５にて行われる。
【００７３】
上述のステップＳ２２の処理にて、画像変更処理を行なうべき操作指示信号が検出された場合には、ステップＳ２３の処理に進み、このステップＳ２３の処理にて、所定の画像画像変更処理が実行される。その後、上述のステップＳ１の処理に戻り以降の処理を繰り返す。
【００７４】
また、上述のステップＳ２２の処理にて、画像変更処理を行なうべき操作指示信号が検出さない場合には、上述のステップＳ１の処理に戻り以降の処理を繰り返す。
【００７５】
以上説明したように上記第１の実施形態によれば、撮像素子１２によって所定の周期で取得した画像を順次表示する通常のライブビュー画像表示モード（第１の表示モード）と、撮像素子１２によって所定の周期で取得した複数の画像を加算処理し、その結果得られた画像を表示する第２の表示モードとを切り替え制御するように構成している。
【００７６】
したがって、例えば、暗所においてライブビュー画像表示を行うのに際し、表示画面中の任意の部位をタッチ操作によって指示し、その指示画像領域内の被写体が識別可能な程度の輝度を有するときには、フレーム画像の加算処理が自動的に実行されるようにしたので、暗所においても、操作指示した所望の被写体を充分に識別し得る程度のライブビュー画像表示を行うことができる。
【００７７】
具体的には、例えば夜間の野外キャンプ場や低照明下での室内パーティ会場等の暗所において撮影を行う際にも、被写体の細かい表情や姿勢（ポーズ），撮影範囲等を確実にかつ充分に確認することができるようになり、よってライブビュー画像表示を有効に利用することができる。
【００７８】
［第２の実施形態］
次に、本発明の第２の実施形態の撮影機器（カメラ）について、図７〜図１９を用いて以下に説明する。
【００７９】
本実施形態のカメラの基本的な構成は、上述の第１の実施形態の構成と全く同様であって、その処理シーケンスが若干異なる。
【００８０】
上述の第１の実施形態のカメラ１では、暗所におけるライブビュー画像表示を確実に行うために、フレーム画像の加算処理を行うようにするというものである。
【００８１】
本実施形態のカメラにおいてフレーム加算処理を行うタイミングとして、
（１）上述の第１の実施形態と同様に暗所においてライブビュー画像表示を行う場合、
（２）ライブビュー画像表示中のオートフォーカス（ＡＦ）動作時、
（３）ライブビュー画像表示中の自動ズーム（電動ズーム）動作時、
がある。上記（２）の場合は、ＡＦ動作期間のライブビュー画像が暗くなってしまうという問題に対処するためのフレーム加算処理の例示である。また、上記（３）の場合は、ライブビュー画像表示中のズーム動作制御と、そのズーム動作による画像の倍率変化に応じたフレーム加算処理の例示である。
【００８２】
図７は、本発明の第２の実施形態の撮影機器（カメラ）によるカメラ制御の処理シーケンスを示すフローチャートである。図８は、図７の処理シーケンスのうちライブビュー画像表示制御（図７のステップＳ４７）のサブルーチンを示すフローチャートである。図９は、図８の処理シーケンスのうち複数フレーム画像合成処理（図８のステップＳ５９）のサブルーチンを示すフローチャートである。図１０は、図９の処理シーケンスのうち前回表示に使用した画像を手振れ補正処理（図９のステップＳ６２）のサブルーチンを示すフローチャートである。
【００８３】
まず、カメラ１の電源がオン状態とされて動作可能に起動している状態にあるものとする。この状態にある時、図７のステップＳ４１において、カメラ制御部１１は、カメラ１の動作モードが再生モードに設定されているか否かの確認を行なう。ここで、再生モードに設定されていることが確認された場合には、ステップＳ４２の処理に進む。また、設定されている動作モードが再生モードではない場合には、ステップＳ４３の処理に進む。
【００８４】
ステップＳ４２において、カメラ制御部１１は、メモリインタフェース２０を介して記録媒体２１を制御して該記録媒体２１の記録領域から画像データの読み込みを行なうと共に、表示用ドライバ２２を介して表示装置２３を制御して、所定の画像再生処理を実行する。その後、ステップＳ４１の処理に戻り以降の処理を繰り返す。
【００８５】
一方、ステップＳ４３において、カメラ制御部１１は、ライブビュー画像表示処理が実行中であるか若しくは動画像記録処理の実行中であるか否かの確認を行う。つまり、撮像素子１２からの連続的に出力される信号について、連続的なフレーム画像処理を行っている状態にあるか否かの確認を行う、ここで、ライブビュー画像表示処理若しくは動画像記録処理のいずれかが実行中の場合には、ステップＳ４４の処理に進む。また、ライブビュー画像表示処理若しくは動画像記録処理のいずれも実行中ではないことが確認されると、上述のステップＳ４１の処理に戻り、以降の処理を繰り返す。
【００８６】
次に、ステップＳ４４において、カメラ制御部１１は、通信用接点３９ａ，３９ｂで接続されているカメラ通信部１８，レンズ通信部３６を介して、撮影レンズ鏡筒３０のレンズ制御部３５との間で所定の通信処理を実行する。
【００８７】
続いて、ステップＳ４５において、カメラ制御部１１は、露出制御部１４を制御して露出演算処理を実行する。この露出演算処理は、撮像素子１２からの出力信号を受けて測光を行って適正な露出値を演算する処理である。露出演算処理は、従来のカメラで行われている一般的な処理と同様である。
【００８８】
続いて、ステップＳ４６において、カメラ制御部１１は、露出制御部１４を制御して上述のステップＳ４５の露出演算処理によって得られた適正露出値に基いて露出設定処理を実行する。この露出設定処理は、撮像素子１２によるローリングシャッタのシャッタ速度制御や、撮影レンズ鏡筒３０との通信を行ってレンズ制御部３５を介して絞り機構３３の絞り制御等を行う処理である。その後、ステップＳ４７の処理に進む。
【００８９】
ステップＳ４７において、カメラ制御部１１は、撮像素子１２，画像処理部１５等を制御してライブビュー画像制御処理、即ちフレーム加算処理を実行する。このライブビュー画像表示処理（フレーム加算処理）は、後述の図８に詳細フローチャートを示す。
【００９０】
ステップＳ４８において、カメラ制御部１１は、動画像記録動作の実行中であるか否かの確認を行う。ここで、動画記録動作中であることが確認された場合には、ステップＳ４９の処理に進む。また、動画記録動作中ではない、つまりライブビュー画像表示動作中であることが確認された場合には、ステップＳ５０の処理に進む。
【００９１】
ステップＳ４９において、カメラ制御部１１は、所定の動画像記録処理を実行する。その後、ステップＳ５０に進む。
【００９２】
ステップＳ５０において、カメラ制御部１１は、上述のステップＳ４７の処理にて実行されたフレーム加算処理の結果得られた画像データに基いてライブビュー画像表示処理を実行する。その後、上述のステップＳ４１の処理に戻り、以降の処理を繰り返す。
【００９３】
次に、上述のステップＳ４７のライブビュー画像制御処理（フレーム加算処理）の詳細を、図８のフローチャートによって説明する。
【００９４】
図８のステップＳ５１において、カメラ制御部１１は、露出制御部１４を介して撮像素子１２からの出力に基いて露出処理を行い、取得したフレーム画像データ（ＲＡＷデータ）を一時メモリ１３に一時記憶する処理を行う。その後、ステップＳ５２の処理に進む。
【００９５】
ステップＳ５２において、カメラ制御部１１は、カメラ通信部１８を介して撮影レンズ鏡筒３０のレンズ通信部３６との間で通信を行ってＡＦ動作のためのレンズ駆動制御を行っているか否か、即ちＡＦ動作が開始されたか否かの確認を行う。この確認は、撮像素子１２の出力信号に基いてＡＦ用フレーム画像データの取り込みを行っている状態であるかどうかを確認することで行われる。なお、ＡＦ用フレーム画像データは、後述する図１２の符号Ｔ１で示される測光エリア内の画像データ、即ちＡＦ用測距エリア内の画像データが対応する。
【００９６】
上述のステップＳ５２の処理にて、ＡＦ用フレーム画像データの取り込みを行っている状態であることが確認された場合には、ステップＳ５４の処理に進む。また、ＡＦ用フレーム画像データの取り込みを行っていない状態であれば、ステップＳ５３の処理に進む。
【００９７】
ステップＳ５３において、カメラ制御部１１は、撮像素子１２によって周期的に取得された画像を表示装置２３を用いて順次表示する通常のライブビュー画像表示を行うための画像処理を実行する。その後、元の図７の処理シーケンスに復帰する（リターン）。
【００９８】
一方、上述のステップＳ５２の処理にてＡＦ動作が開始されていると判断されて、ステップＳ５４の処理に進むと、このステップＳ５４において、カメラ制御部１１は、画像処理部１５を制御して、上記ステップＳ５２の処理にて実行されたＡＦ動作によって合焦した対象被写体についての特徴部分を抽出する合焦被写体特徴抽出処理を実行する。この合焦被写体特徴抽出処理は、例えば顔検出処理等である。
【００９９】
続いて、ステップＳ５５において、カメラ制御部１１は、ＡＦ動作によって取得された露出と、上述のステップＳ５１の処理にて一時記憶された通常時の露出との比較を行う。
【０１００】
なお、ここで、通常時（ライブビュー画像表示時）に比べて、ＡＦ動作期間のライブビュー画像が暗くなってしまうという現象について簡単に説明する。
【０１０１】
図１３は、本実施形態のカメラ１における露出制御プログラム線図を示す。このうち図１３Ａは、通常時（ライブビュー画像表示動作時）の露出制御プログラム線図である。図１３Ｂは、ＡＦ動作時の露出制御プログラム線図である。
【０１０２】
上述したように、ＡＦ動作時には、垂直同期信号（ＶＤ）の周期を高速化する制御がなされる。この場合において、通常時（ライブビュー画像表示動作時）のフレームレートを３０ｆｐｓであるとすると、ＡＦ動作時のフレームレートは、例えば２４０ｆｐｓ程度に高速化される。
【０１０３】
図１３Ａに示すように、通常（ライブビュー画像表示動作時）の露出制御プログラムでは、低輝度側においては、例えば開放絞り値ｆ２（ＡＶ２），長秒時シャッタ速度値１／３０秒（ＴＶ５）に対応し得るものとする（符号Ｐａ参照）。
【０１０４】
一方、ＡＦ動作時には、上述したようにフレームレート２４０ｆｐｓとしているので、これに対応し得る長秒時シャッタ速度値１／２５０秒である。したがって、図１３Ｂに示す露出制御プログラムにおいて低輝度側では、例えば開放絞り値ｆ２（ＡＶ２），長秒時シャッタ速度値１／２５０秒（ＴＶ８）に対応する（符号Ｐｂ参照）。
【０１０５】
このように、ＡＦ動作時には、低輝度側における露出連動可能輝度が最大で３段アンダーになってしまうことがわかる。
【０１０６】
図８に戻って、上述のステップＳ５５の処理にて、「通常露出＜ＡＦ時露出」が成り立つ場合には、ステップＳ５６の処理に進む。また、「通常露出＜ＡＦ時露出」が不成立の場合には、ステップＳ５７の処理に進む。
【０１０７】
ステップＳ５６において、カメラ制御部１１は、画像処理部１５を制御して、デジタルゲイン，ガンマ補正等の信号処理による画像補正処理を実行する。この画像補正処理は、ＡＦ用フレーム画像領域に対する画像処理である。その後、元の図７の処理シーケンスに復帰する（リターン）。
【０１０８】
ステップＳ５７において、カメラ制御部１１は、取得済みで一時記憶されているフレーム画像データ（取得フレーム）が２コマ分以上あるか否かの確認を行う。ここで、取得フレームが２コマ以上ある場合には、ステップＳ５８の処理に進む。また、取得フレームが２コマ未満である場合には、ステップＳ５６の処理（上述）に進む。
【０１０９】
ステップＳ５８において、カメラ制御部１１は、上述のステップＳ５４の合焦被写体特徴収出処理の結果に基いて被写体を追尾し、その被写体の動きベクトルが大であるか否か、即ち所定の移動量以上であるか否かを確認する。ここで、動きベクトルが大であると判断された場合には、ステップＳ５６の処理（上述）に進む。また、動きベクトルが大ではないと判断された場合には、ステップＳ５９の処理に進む。
【０１１０】
ステップＳ５９において、カメラ制御部１１は、複数フレーム画像合成処理（詳細は図９に示すサブルーチン）を実行する。その後、ステップＳ５６の処理（上述）に進む。
【０１１１】
次に、上記複数フレーム画像合成処理（図８のステップＳ５９の処理）の詳細を、図９のフローチャートによって以下に説明する。
【０１１２】
図９のステップＳ６１において、カメラ制御部１１は、角速度センサ２６等の信号に基いて手振れ量の検出を行う。そして、その手振れ量が手振れ補正可能な範囲内にあるか否かの確認を行う。ここで、手振れ補正が可能である場合には、次のステップＳ６２の処理に進む。また、手振れ補正が不可能である場合には、ステップＳ７４の処理に進む。
【０１１３】
ステップＳ６２において、カメラ制御部１１は、前回表示に使用した画像に基いて手振れ補正処理（図１０に示すサブルーチン）を実行する。その後、ステップＳ６３の処理に進む。
【０１１４】
ここで、手振れ補正処理に用いる画像データの概略を図１５〜図１７を用いて以下に説明する。図１５〜図１７は、本実施形態の撮影機器（カメラ）において実行される手振れ補正処理の説明図である。このうち図１５は、撮像素子の受光面サイズと有効画像領域（表示領域）サイズとの概念を示す図である。図１６は、受光面上の手振れ画像領域を示す概念図である。図１７は、手振れ補正処理後に得られる画像データを示す概念図である。
【０１１５】
図１５において、符号１２ａは撮像素子１２の有効受光面を示し、符号２３ａは有効画像領域、即ち表示装置２３の表示画面に表示される表示領域を示す。この場合において有効受光面１２ａを、高さＨ，幅Ｗで表わすものとする。また、有効画像領域２３ａは、高さＨａ，幅Ｗａで表わす。
【０１１６】
そして、符号１２ａで示される矩形と符号２３で示される矩形とを中心点を一致させて重畳させると、図１５の下段に示すようになる。ここで、幅方向をＸ方向とし、高さ方向をＹ方向とすると、符号ＸａはＸ方向に手振れ補正可能な量を表し、符号ＹａはＹ方向に手振れ補正可能な量を表している。つまり、
Ｗ＝Ｗａ＋２Ｘａ
Ｈ＝Ｈａ＋２Ｙａ
となる。
【０１１７】
このような撮像素子１２を備えた本実施形態のカメラ１において、例えば図１６に示すような手振れが生じたものとする。この場合において、手振れ量は、Ｘ方向の手振れ量Ｘ１と、Ｙ方向の手振れ量Ｙ１によって示すことができる。したがって、手振れ量（Ｘ１，Ｙ１）の場合、図１６の矢印Ｂ方向に、その矢印の長さ分だけ、有効受光面１２ａの領域内において有効画像領域２３ａの矩形が手振れによって移動したことが推定できる。
【０１１８】
したがって、この時の画像データは、図１７に示されるような形態、即ち高さＨ１，幅Ｗ１の画像データとなる。ここで、
Ｈ１＝Ｈａ＋（Ｙａ−Ｙ１）
Ｗ１＝Ｗａ＋（Ｘａ−Ｘ１）
である。こうして取得した画像データと、今回の手振れ直前に取得された画像データとによって手振れ補正処理が行われる。
【０１１９】
なお、上述のステップＳ６２の処理（手振れ補正処理）を、図１０のサブルーチンによって説明する。
【０１２０】
まず、ステップＳ８１において、カメラ制御部１１は、全画像領域（有効受光面１２ａ）を更新する。
【０１２１】
続いて、ステップＳ８２において、カメラ制御部１１は、表示領域（有効画像領域（２３ａ））の更新を行う。その後、元の図９の処理シーケンスに復帰する（リターン）。
【０１２２】
図９に戻って、ステップＳ６３において、カメラ制御部１１は、ズーム倍率の変更操作がなされたか否かの確認を行う。ここで、ズーム操作がなされたことが確認された場合には、ステップＳ６７の処理に進む。また、ズーム操作が行われていない場合には、ステップＳ６４の処理に進む。
【０１２３】
ステップＳ６４において、カメラ制御部１１は、合成用画像として前回表示に使用した画像（図１８符号Ａ）を用いる。なお、図１８は、拡大合成処理を行う際の概念を示す図である。
【０１２４】
続いて、ステップＳ６５において、カメラ制御部１１は、今回取得したフレーム画像（図１８符号Ｂ，図１９Ｅ）と上記合成用画像（この場合は図１８符号Ａ）との合成処理を実行する。なお、図１９は、縮小合成処理を行う際の概念を示す図である。
【０１２５】
次に、ステップＳ６６において、カメラ制御部１１は、今回表示に使用する画像として上述のステップＳ６５の合成処理にて生成した画像（図１８符号Ｄ，図１９（Ｄ））とする。その後、一連の処理を終了し、元の図８の処理シーケンスに復帰する（リターン）。
【０１２６】
一方、上述のステップＳ６３の処理にて、ズーム倍率変更操作が確認されて、ステップＳ６７の処理に進むと、このステップＳ６７において、カメラ制御部１１は、そのズーム倍率変更操作は操作部１７に含まれる操作部材のうちのズームボタンによる操作であったか否かの確認を行う。この確認は、操作制御部１６を介して監視している操作部１７のうちのズームボタンに連動するズームスイッチからの信号によって行う。ここで、ズームボタン操作であることが確認された場合には、電動ズーム動作が実行されているものと判断され、ステップＳ６８の処理に進む。また、ズームボタン操作ではないことが確認された場合には、手動ズーム動作が行われたものと判断されて、ステップＳ７４の処理に進む。
【０１２７】
ステップＳ６８において、カメラ制御部１１は、上記ズーム操作によってなされたズーミングによる画像の拡大率（即ち、今回のズーム倍率／前回のズーム倍率で算出される）を取得する。その後、ステップＳ６８の処理に進む。
【０１２８】
続いてステップＳ６９において、カメラ制御部１１は、拡大率が１以上（拡大率＞１）であるか否か、即ち、像拡大方向のズーム操作が行われたか否かの確認を行う。ここで、拡大率＞１である場合には、次のステップＳ７０の処理に進む。また、拡大率＞１ではない場合には、ステップＳ７１の処理に進む。
【０１２９】
ステップＳ７０において、カメラ制御部１１は、合成用画像として前回表示に使用した画像を拡大処理した画像（図１８符号Ｃ）を用いる。その後、ステップＳ６５の処理に進む。
【０１３０】
ステップＳ７１において、カメラ制御部１１は、上記ズーム操作によってなされたズーミングによる画像の縮小可能率（即ち、有効画像領域（２３ａ）の画素数／全画像領域（有効受光面１２ａ）の画素数から算出される）を取得する。その後、ステップＳ７２の処理に進む。
【０１３１】
続いてステップＳ７２において、カメラ制御部１１は、上記拡大率が上記縮小可能率と同じか若しくは小さい（拡大率≦縮小可能率）か否かの確認を行う。ここで、拡大率≦縮小可能率である場合には、次のステップＳ７３の処理に進む。また、拡大率≦縮小可能率ではない場合には、ステップＳ７４の処理に進む。
【０１３２】
ステップＳ７３において、カメラ制御部１１は、合成用画像として前回表示に使用した画像を縮小した画像（図１９符号Ｆ）を用いる。その後、ステップＳ６５の処理に進む。
【０１３３】
ステップＳ７４において、カメラ制御部１１は、この時点における取得フレーム数＝１を設定する。
【０１３４】
続いて、ステップＳ７５において、カメラ制御部１１は、今回表示に使用する画像として今回取得したフレーム画像を用いる。その後、元の図８の処理シーケンスに復帰する（リターン）。
【０１３５】
本実施形態の撮影機器（カメラ）における上述した作用のうち、ライブビュー画像表示動作中にＡＦ動作が行われた場合に実行されるフレーム画像の加算処理（フレーム加算処理）の概要について、図１１を用いて以下に簡単に説明する。
【０１３６】
図１１は、本実施形態の撮影機器（カメラ）において、ライブビュー画像表示動作中にＡＦ動作が行われた場合の作用を示すタイミングチャートである。
【０１３７】
図１１Ａは、撮像素子１２における垂直同期信号ＶＤを示している。図示のように、例えば符号Ａで示すタイミングで、例えばファーストレリーズ操作がなされてＡＦ動作を開始させる旨の指示信号（ファーストレリーズスイッチからの指示信号）が発生したものとする。すると、これに応じて、カメラ制御部１１は、撮像素子１２を制御して、垂直同期信号ＶＤの周期を高速化する。
【０１３８】
図１１Ｂは、一フレーム毎の露出量を表している。このうち、符号ＬＶ（ａ），ＬＶ（ｂ）…で示す菱形は、ライブビュー画像表示動作時の各フレーム毎の露出量を示す。また、符号ＡＦ（ａ），ＡＦ（ｂ），ＡＦ，……で示す菱形領域は、ＡＦ動作時の各フレーム毎の露出量を示している。なお、一フレーム毎の露出量を菱形で示しているのは、ライン露光順次読み出し方式（ローリングシャッタ）を採用していることを表している。また、一フレームの露出は、その露出中心時点を垂直同期信号ＶＤのタイミングとしている。
【０１３９】
上述のように、ＡＦ動作対応時には、垂直同期信号（ＶＤ）の周期を高速化するので、一フレームの露出期間（露出量）は、通常時（ライブビュー画像表示時）に比べて短く（少なく）なる。図１１Ｂにおいては、露出期間は横軸の長さ（時間）で表され、露出量は菱形の面積で表されている。そこで、図示のように
露出量ＬＶ（ｘ）＞露出量ＡＦ（ｘ）；（（ｘ）は（ａ），（ｂ）…）
の関係がわかる。
【０１４０】
図１１Ｃは、レンズ通信同期信号を示している。このレンズ通信同期信号は、ボディ側のフレームレートとレンズ側のフレームレートとを同期させる信号である。レンズ通信同期信号は、図１１Ａの垂直同期信号（ＶＤ）と同期させている。
【０１４１】
図１１Ｄは、レンズ位置取得信号を示している。このレンズ位置取得信号は、ボディ側からレンズ側に対して露出中心タイミングを伝達する信号である。そのために、図１１Ｂに示す各フレームの露出の中間点で、図１１Ｄのレンズ位置取得信号の出力が反転する。カメラ制御部１１は、このレンズ位置取得信号の出力タイミングでレンズ側の状態（例えば絞り値，レンズ位置等）を取得している。
【０１４２】
図１１Ｅは、ボディ（Ｂ）−レンズ（Ｌ）通信タイミングを示している。このＢ−Ｌ通信タイミングは、ボディ側とレンズ側との間で行われる相互通信タイミングである。この相互通信によって、フレーム毎にボディ及びレンズ双方の状態の情報交換が行われる。
【０１４３】
図１１Ｆは、ＡＥ制御タイミングを示している。ここで、ＡＥ制御は、前回のフレームの露出動作に基いて得られた露出値を、次回のフレームの露出動作に反映させるための制御である。図１１Ｆで示す符号ＡＥ（ｂ），ＡＥ（ｃ），ＡＥ（ｄ）……は、それぞれが対応する前回のフレーム露出動作に取得された露出値を示し、それぞれが各対応する次のフレーム露出動作に反映される。
【０１４４】
例えば、図１１Ｆの符号ＡＥ（ｂ）の露出値は、図１１Ｂの符号ＬＶ（ｂ）で示すフレームの露出動作に適用されるものとしている。同様に、図１１Ｆの符号ＡＥ（ｃ）の露出値は、図１１Ｂの符号ＡＦ（ａ）で示すフレームの露出動作に適用される。さらに同様に、図１１Ｆの符号ＡＥ（ｄ）の露出値は、図１１Ｂの符号ＡＦ（ｂ）で示すフレームの露出動作に適用される。
【０１４５】
ここで、上述したように、図１１Ａの符号ＡのタイミングでＡＦ動作が開始されているものとすると、これにより、上記符号Ａ時点以降の垂直同期信号（ＶＤ）の周期が高速化されて（図１１Ａ）、露出期間が短くなっている（図１１Ｂ）。
【０１４６】
ＡＦ動作が開始されると、ＡＥ制御、即ち測光動作を含む自動露出制御は、通常時（ライブビュー画像表示時）とは異なる制御となる。
【０１４７】
例えば、測光エリアについては、図１２に示すように、ライブビュー画像表示時とＡＦ動作時とで異なる。図１２は、撮像素子１２の有効受光面１２ａ内における測光エリアを示す図である。
【０１４８】
図１２の符号Ｔ２で示す略楕円形状の領域をライブビュー画像表示時の測光エリアとする。また、図１２の符号Ｔ１で示す矩形領域をＡＦ動作時の測光エリアとする。つまり、ライブビュー画像表示時の測光エリアＴ２は、撮像素子１２の有効受光面１２ａの周辺四隅部近傍を除く略全域となるように設定されるのに対し、ＡＦ動作時の測光エリアＴ１は、上記有効受光面１２ａの略中央部を含む所定の領域に限定して設定される。なお、ＡＦ動作時の測光エリアＴ１は、例えばＡＦ動作を行う際に設定されるＡＦ用測距エリアに相当するものである。
【０１４９】
このように、ライブビュー画像表示時は、有効画像領域の略全面を測光対象とするのに対して、ＡＦ動作時はＡＦ用画像領域を測光対象とし、この狭い領域の画像情報に基いて測光が行われる。したがって、ライブビュー画像表示時とＡＦ動作時とでは、各測光動作によって取得される各露出値が異なることがある。この場合、ライブビュー画像表示時とＡＦ動作時とでは、表示画像の明るさが不均一になってしまうことになる。
【０１５０】
そこで、本実施形態のカメラ１は、ＡＦ動作時の表示画像については、フレーム画像の加算処理を行って、ライブビュー画像表示時とＡＦ動作時との表示画像を均一化するようにしている。
【０１５１】
図１１Ｇは、フレーム画像を生成するための画像処理タイミングを示している。図１１Ｇにおいて符号Ｐ１，Ｐ２，Ｐ３，Ｐ４，Ｐ５……で示す。
【０１５２】
また、図１１Ｈは、表示画像の表示タイミングを示している。図１１Ｈにおいて、符号Ｄ１，Ｄ２，Ｄ３，Ｄ４，Ｄ５……で示す。
【０１５３】
図１１Ｇの符号Ｐ１，Ｐ２のタイミングで画像処理されるフレーム画像は、図１１Ｂの符号ＬＶ（ａ），ＬＶ（ｂ）の露出動作による画像データである。ここで、図１１Ｂの符号ＬＶ（ａ），ＬＶ（ｂ）の露出動作は、前回のフレーム画像から得られる露出値によって行われる。したがって、図１１Ｇの符号Ｐ１，Ｐ２のタイミングで画像処理されるフレーム画像は、通常時の露出条件にて形成される。そして、図１１Ｈの符号Ｄ１，Ｄ２で示すタイミングでそのまま表示処理される。なお、これ以降の時点でＡＦ動作が開始される。
【０１５４】
図１１Ｇの符号Ｐ３のタイミングで処理されるフレーム画像は、図１１Ｂの符号ＡＦ（ａ）の露出動作による画像である。ここで、図１１Ｂの符号ＡＦ（ａ）の露出動作は、前回の符号ＬＶ（ｂ）のフレーム画像から得られる露出値によって行われる。したがって、図１１Ｇの符号Ｐ３のタイミングで処理されるフレーム画像も、通常時の露出条件で形成される。そして、図１１Ｈの符号Ｄ３で示すタイミングで、そのまま表示処理される。
【０１５５】
次に、図１１Ｇの符号Ｐ４のタイミングで処理されるフレーム画像は、図１１Ｂの符号ＡＦ（ｂ）の露出動作による画像である。ここで、図１１Ｂの符号ＡＦ（ｂ）の露出動作は、前回の符号ＡＦ（ａ）のフレーム画像から得られる露出値によって行われる。したがって、図１１Ｇの符号Ｐ４のタイミングで処理されるフレーム画像以降は、ＡＦ動作時の露出条件で形成される。したがって、露出値に変動が生じる可能性がある。そこで、図１１Ｈの符号Ｄ４で示すタイミングで行う表示処理においては、対応する符号Ｐ４のタイミングで処理されるフレーム画像に対し、前回のフレーム画像（符号Ｐ３）を加算処理する。
【０１５６】
これと同様に、図１１Ｇの符号Ｐ５のタイミングで処理されるフレーム画像は、図１１Ｈの符号Ｄ５のタイミングで表示処理が行われる。この表示処理では、対応する符号Ｐ５のタイミングで処理されるフレーム画像に対し、前回のフレーム画像（符号Ｐ４）を加算処理する。以降同様の処理が行われる。
【０１５７】
このようにフレーム画像加算処理を行う際の加算フレーム画像数は、次のようにして求める。
【０１５８】
ライブビュー画像表示時の露出ＢＶａとＡＦ期間中の露出ＢＶｂとの露出差ＢＶｅｒｒは、
ＢＶｅｒｒ＝ＢＶａ−ＢＶｂ
で表される。
【０１５９】
一方、ＡＦフレーム画像合成数（ＣｏｎｂＡｆＦｒａｍｅＮｕｍ；ＣＡＦＮ）は、
ＣＡＦＮ＝２＾ＢＶｅｒｒ
である。このＡＦフレーム画像合成数に基いて、加算フレーム画像数を設定すればよい。
【０１６０】
なお、取得済みのＡＦフレーム画像（ＡＦ動作時に取得されるフレーム画像）を加算するのみでは不足する場合、ＬＶフレーム画像（ＡＦ動作開始前の通常ライブビュー画像表示時に取得されるフレーム画像）を加算すればよい。
【０１６１】
また、本実施形態の撮影機器（カメラ）における上述した作用のうち、ライブビュー画像表示動作中にズーム動作が行われた場合に実行されるフレーム画像の加算処理（フレーム加算処理）の概要について、図１４を用いて以下に簡単に説明する。
【０１６２】
図１４は、本実施形態の撮影機器（カメラ）において、ライブビュー画像表示動作中にズーム動作が行われた場合の作用を示すタイミングチャートである。
【０１６３】
図１４Ａは、撮像素子１２における垂直同期信号ＶＤを示している。図１４Ｂは、一フレーム毎の露出量を表している。この図１４Ｂにおいては、図１２Ｂに示す露出量ＬＶ（ａ），ＬＶ（ｂ）…で示す菱形を詳細に示すものである。ライブビュー画像表示動作時の一フレームの露出量は、一ライン毎にリセット，露出，読み込み動作が行われる。そのため、時間経過によって第１ラインの読み込み時点から最終ラインの読み込み時点との間にずれが生じている。
【０１６４】
図１４Ｃは、操作部１７に含まれる操作部材のうちのズームボタンの操作に従って出力される操作指示信号を示している。図１４Ｃに示す例では、符号Ｚ１にてズームボタン操作が開始され、符号Ｚ２の時点まで継続してズームボタン操作が行われていることを示している。
【０１６５】
図１４Ｄは、上述のズームボタン操作に連動するズームレンズ駆動タイミングを示している。この場合において、ズームレンズは、図１４Ｃのオン信号を受けて符号Ｌ１の時点でオンになり符号Ｌ２の時点でオフになる。符号Ｌ２〜符号Ｌ３の期間では、図１４Ｃに示すようにズームボタン操作が継続しているのに関らずズームレンズ駆動は停止（禁止）されている。そして、図１４Ｄの符号Ｌ３の時点で再度オン状態になり、同図符号Ｌ４の時点で、上記ズームボタン操作の停止（指示信号オフ；符号Ｚ２）を受けて同時に、ズームレンズ駆動も停止している。
【０１６６】
この場合において、図１４Ｄの符号Ｌ２〜符号Ｌ３の期間では、図１４Ｂに示すように、同図において二回目の露出が行われている期間である。これを受けて、図１４Ｄに見られるように、同期間ではズームレンズ駆動を停止（禁止）している。
【０１６７】
図１４Ｅは、ズーム倍率の変位を示している。まず、初期段階の符号Ａで示す期間をズームが動作する以前の倍率に設定されている期間である。この時点では、図１４Ｃのズームボタン操作行われていない。したがって、ズーム倍率に変化はない。次の符号Ｂで示す期間は、ズーム第一回目の駆動期間を示している。このズーム第一回目駆動期間Ｂは、図１４Ｄのズームレンズ駆動開始時点、即ち同図符号Ｌ１と同時に倍率変位が開始され、同図符号Ｌ２の時点で倍率変位が終了する。これは、図１４Ｄの符号Ｌ２の時点で、第２コマ目の露出が開始し、ズームレンズ駆動が停止しているためである。
【０１６８】
続いて、図１４Ｅの符号Ｃで示す期間は、ズーム第一回目動作完了時点の倍率が維持されて、ズーム倍率に変動がない。これは、図１４Ｄの符号Ｌ２〜符号Ｌ３のズーム禁止期間に相当する。
【０１６９】
次に、図１４Ｅの符号Ｄで示す期間は、ズーム第二回目の駆動期間である。このズーム第二回目駆動期間Ｄは、図１４Ｄの符号Ｌ３〜符号Ｌ４の期間に相当する。
【０１７０】
図１４Ｅの符号Ｅで示す期間は、ズーム第二回目の駆動完了後の時点のズーム倍率が維持される期間である。
【０１７１】
図１４Ｆは、画像の拡大，縮小処理のタイミングを示している。同図の例では、ズーム一回目駆動の結果、変位したズーム倍率（図１４Ｅの符号Ｃ）と、ズーム動作前の倍率（図１４Ｅの符号Ａ）に基いて、画像の拡大処理若しくは縮小処理が行われる。
【０１７２】
図１４Ｇは、フレーム画像加算処理のタイミングを示している。同図に示す例においては、フレーム画像加算処理は、一回目の露出画像（ズーム動作前の画像）のフレーム画像に、二回目の露出画像（ズーム第一回目駆動により変位したズーム倍率による画像）を加算するフレーム画像加算処理が行われる。
【０１７３】
図１４Ｈは、画像処理のタイミングを示している。また、図１４Ｉは、画像の表示処理のタイミングである。図１４Ｈの符号Ｐ１で示されるタイミングで行われる画像処理は、図１４Ｂの一回目の露出画像により取得された画像データに基く画像処理である。この画像処理は、ズーム動作前の通常の画像処理である。そして、この画像処理結果は、図１４Ｉの符号Ｈ１で示すタイミングで表示される。
【０１７４】
図１４Ｈの符号Ｐ２で示されるタイミングで行われる画像処理は、図１４Ｂの二回目の露出画像により取得された画像データに基く画像処理である。ここでは、図１４Ｇのフレーム画像加算処理によって取得された画像、即ちズーム第一回目動作の結果、変位した後の画像処理である。この画像処理結果は、図１４Ｉの符号Ｈ２で示すタイミングで表示される。
【０１７５】
このように、ライブビュー画像表示動作中に、ズームボタン操作による自動ズーム動作が実行されると、撮像素子１２の露出期間中には、操作継続中に関らずズーム動作を停止するようにしている。
【０１７６】
そして、次の露出期間までの間にズーム動作を再開すると共に、ズーム動作停止期間の前後で取得したフレーム画像を、適宜拡大縮小処理を伴う画像合成処理を行ってフレーム加算を行うようにしている。
【０１７７】
以上説明したように上記第２の実施形態によれば、ライブビュー画像表示動作中にＡＦ動作が実行されたり、ズーム動作が実行された場合にも、第１の表示モード（通常ライブビュー画像表示モード）から第２の表示モード（フレーム加算処理を伴うライブビュー画像表示モード）へと表示動作の切り換え制御を行うようにしたので、常に均一なライブビュー画像を表示させ続けることができる。
【０１７８】
上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。
【０１７９】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【０１８０】
本発明は、デジタルカメラ等の撮影機能に特化した電子機器である撮影機器に限られることはなく、撮影機能を備えた他の形態の電子機器、例えば携帯電話，録音機器，電子手帳，パーソナルコンピュータ，ゲーム機器，テレビ，時計，ＧＰＳ（Global Positioning System）を利用したナビゲーション機器等、各種の撮影機能付き電子機器にも適用することができる。
【符号の説明】
【０１８１】
１……カメラ，１０……カメラ本体，１１……カメラ制御部，１２……撮像素子，１２ａ……有効受光面，１３……一時メモリ，１４……露出制御部，１５……画像処理部，１６……操作制御部，１７……操作部，１８……カメラ通信部，１９……ＳＤＲＡＭ，２０……メモリインタフェース，２１……記録媒体，２２……表示用ドライバ，２３……表示装置，２３ａ……有効画像領域，２４……タッチパネルドライバ，２５……タッチパネル，２６……角速度センサ，３０……撮影レンズ鏡筒，３１……撮影レンズ，３２……レンズ保持枠，３３……絞り機構，３４……ドライバ，３５……レンズ制御部，３６……レンズ通信部，３９ａ，３９ｂ……通信用接点
【図１】
2013058923.tif 000003
【図２】
2013058923.tif 000004
【図３】
2013058923.tif 000005
【図４】
2013058923.tif 000006
【図５】
2013058923.tif 000007
【図６】
2013058923.tif 000008
【図７】
2013058923.tif 000009
【図８】
2013058923.tif 000010
【図９】
2013058923.tif 000011
【図１０】
2013058923.tif 000012
【図１１】
2013058923.tif 000013
【図１２】
2013058923.tif 000014
【図１３】
2013058923.tif 000015
【図１４】
2013058923.tif 000016
【図１５】
2013058923.tif 000017
【図１６】
2013058923.tif 000018
【図１７】
2013058923.tif 000019
【図１８】
2013058923.tif 000020
【図１９】
2013058923.tif 000021